(57)【要約】【課題】電力量計へのバイパス回路の接続状態を容易に把握することができる電力量計用のバイパス工具を提供することを課題とする。【解決手段】本発明は、電力量計にバイパス回路を接続するバイパス工具であり、バイパス回路と電力量計とを導通接続するバイパス端子と、該バイパス端子を前記電力量計に導通接続した接続状態と前記電力量計に対して導通接続していない非接続状態とに切り替えるための把手部とを備え、前記把手部は、細長い形状であり、且つ前記バイパス端子が前記接続状態に切り替えられた状態で該切替手段の長手方向が縦方向又は横方向の何れか一方の方向に一致する第一の姿勢となり、前記バイパス端子が前記非接続状態に切り替えられた状態で該切替手段の長手方向が縦方向又は横方向の何れか他方の方向に一致する第二の姿勢となるように構成される。【選択図】図１
2019211275.tif 000002
【特許請求の範囲】
【請求項１】
電力量計にバイパス回路を接続するためのバイパス工具であって、
前記バイパス回路と前記電力量計とを導通接続するためのバイパス端子と、
該バイパス端子の状態を、前記バイパス回路と前記電力量計とを導通接続した接続状態と、前記バイパス回路と前記電力量計とを導通接続していない非接続状態とに切り替えるための把手部と、を備え、
前記把手部は、細長い形状であり、且つ前記バイパス端子が前記接続状態に切り替えられている状態で該把手部の長手方向が縦方向又は横方向の何れか一方の方向に一致する第一の姿勢となり、前記バイパス端子が前記非接続状態に切り替えられている状態で該把手部の長手方向が縦方向又は横方向の何れか他方の方向に一致する第二の姿勢となるように構成される、
電力量計用のバイパス工具。
【請求項２】
一つの前記バイパス端子と該バイパス端子に取り付けられた一つの前記把手部とを一組にした端子セットを複数組み備え、
前記複数の端子セットの前記把手部のそれぞれは、前記バイパス工具の横幅方向に並べて配置され、且つ前記第一の姿勢で自身の長手方向が横方向に一致し、前記第二の姿勢で自身の長手方向が縦方向に一致するように構成される、
請求項１に記載の電力量計用のバイパス工具。
【請求項３】
前記電力量計の前面にあてがうケースであって、前記バイパス端子及び前記把手部が設けられるケースを備え、
該ケースの前面には、同一の前記バイパス回路に含まれる前記バイパス端子のそれぞれをつなぐバイパス電路を示す電路ラインが形成され、
前記把手部は、長手方向における端部が、前記第一の姿勢の状態では正面視において前記電路ラインの端部に隣接する位置に配置され、且つ前記第二の姿勢の状態では正面視において前記電路ラインの端部に対して隣接する位置から外れた位置に配置される、
請求項１又は２に記載の電力量計用のバイパス工具。
【発明の詳細な説明】
【技術分野】
【０００１】
本発明は、電力量計に取り付けて電源側と負荷側とをつなぐバイパス回路を接続する電力量計用のバイパス工具に関する。
【背景技術】
【０００２】
従来、電源と負荷とをつなぐ電路上に設置される電力量計に対して、電源側と負荷側とをつなぐためのバイパス回路を接続するバイパス工具が知られている。
【０００３】
例えば、特許文献１には、電線を接続する電線接続部が複数設けられた端子ブロック（いわゆる、端子台）を備える電力量計を対象とし、該端子ブロックに取り付けることで電力量計に前記バイパス回路を接続するように構成されたバイパス工具が開示されている。
【０００４】
かかるバイパス工具は、端子ブロックの前面にあてがうケースと、該ケースに対して前面側から挿通され且つ先端部が該ケースの背面から出退可能となるように構成された複数のねじと、ケース内で複数のねじ同士を電気的に接続するブスバと、を備えている。
【０００５】
前記バイパス工具では、ケースを端子ブロックの前面にあてがった後にねじの先端部をケースの背面から進出させ、さらに、該ねじの先端部を電線接続部の雌ねじ部に螺合させると、ねじが電線接続部に対して電気的に接続された状態で固定され、これにより、端子ブロックに前記バイパス回路を接続できるようになっている。
【先行技術文献】
【特許文献】
【０００６】
【特許文献１】特開２０１６−８０６８７号公報
【発明の概要】
【発明が解決しようとする課題】
【０００７】
ところで、上記従来のバイパス工具は、ケースの背面から進出させたねじの先端部を端子ブロックの電線接続部に螺合させてバイパス回路をブロック端子に接続するように構成されているため、ねじと電線接続部との導通状態を目視によって確認することができない。
【０００８】
そのため、上記従来のバイパス工具の使用者は、ねじの締め込み具合等から前記導通状態を推測したうえで端子台に対する電気的な接続状態を判断することになるため、電力量計へのバイパス回路の接続状態を明確に把握することが困難であった。
【０００９】
そこで、本発明は、かかる実情に鑑み、電力量計へのバイパス回路の接続状態を容易に把握することができる電力量計用のバイパス工具を提供することを課題とする。
【課題を解決するための手段】
【００１０】
本発明の電力量計用のバイパス工具は、
電力量計にバイパス回路を接続するためのバイパス工具であって、
前記バイパス回路と前記電力量計とを導通接続するためのバイパス端子と、
該バイパス端子の状態を、前記バイパス回路と前記電力量計とを導通接続した接続状態と、前記バイパス回路と前記電力量計とを導通接続していない非接続状態とに切り替えるための把手部と、を備え、
前記把手部は、細長い形状であり、且つ前記バイパス端子が前記接続状態に切り替えられている状態で該把持部の長手方向が縦方向又は横方向の何れか一方の方向に一致する第一の姿勢となり、前記バイパス端子が前記非接続状態に切り替えられている状態で該把持部の長手方向が縦方向又は横方向の何れか他方の方向に一致する第二の姿勢となるように構成される。
【００１１】
上記構成の電力量計用のバイパス工具によれば、バイパス端子と電力量計との接続状態に応じて長短のついた細長い把手部の姿勢（長手方向の向き）が切り替わるため、把手部を見ただけで、バイパス端子がバイパス回路と電力量計とを導通接続している状態（すなわち、接続状態）か、バイパス回路と電力量計とを導通接続していない状態（すなわち、非接続状態）かを簡単に見分けることができる。
【００１２】
本発明の電力量計用のバイパス工具において、
一つの前記バイパス端子と該バイパス端子に取り付けられた一つの前記把手部とを一組にした端子セットを複数組み備え、
前記複数の端子セットの前記把手部のそれぞれは、前記バイパス工具の横幅方向に並べて配置され、且つ前記第一の姿勢で自身の長手方向が横方向に一致し、前記第二の姿勢で自身の長手方向が縦方向に一致するように構成されていてもよい。
【００１３】
このようにすれば、各端子セットのバイパス端子を全て接続状態に切り替えると、各端子セットの把手部の全てが長手方向を前記横方向に一致させた第一の姿勢になるため、各把手部が前記横幅方向で隣り合う把手部に向かって延びているように見える。
【００１４】
従って、前記横幅方向で隣り合う端子セット同士が電気的につながっていることを使用者に連想させることによって、バイパス回路が電力量計に接続されていることを把握し易くすることができる。
【００１５】
さらに、本発明の電力量計用のバイパス工具は、
前記電力量計の前面にあてがうケースであって、前記バイパス端子及び前記把手部が設けられるケースを備え、
該ケースの前面には、同一の前記バイパス回路に含まれる前記バイパス端子のそれぞれをつなぐバイパス電路を示す電路ラインが形成され、
前記把手部は、長手方向における端部が、前記第一の姿勢の状態では正面視において前記電路ラインの端部に隣接する位置に配置され、且つ前記第二の姿勢の状態では正面視において前記電路ラインの端部に対して隣接する位置から外れた位置に配置される、ようにしてもよい。
【００１６】
かかる構成によれば、バイパス端子が接続状態である場合は、正面視において電路ラインと把手部の端部とがつながっているように見え、バイパス端子が非接続状態である場合は、正面視において電路ラインと把手部の端部とが切り離されているように見えるため、各バイパス端子の接続状態を把握し易くなり、バイパス回路と電力量計の接続状態も把握し易くなる。
【発明の効果】
【００１７】
以上のように、本発明の電力量計用のバイパス工具は、電力量計へのバイパス回路の接続状態を容易に把握することができる、という優れた効果を奏し得る。
【図面の簡単な説明】
【００１８】
【図１】図１は、本発明の一実施形態に係る電力量計用のバイパス工具の正面図である。
【図２】図２は、同実施形態に係る電力量計用のバイパス工具の背面図である。
【図３】図３は、同実施形態に係る電力量計用のバイパス工具の平面図である。
【図４】図４は、同実施形態に係る電力量計用のバイパス工具の背面図であって、カバーの後側の部分を取り外した状態の背面図である。
【図５】図５は、図３のＶ−Ｖ線における断面図である。
【図６】図６において、（ａ）は第一の姿勢に切り替えた操作部の正面図であり、（ｂ）は第一の姿勢に切り替えた操作部の平面図である。
【図７】図７において、（ａ）は第二の姿勢に切り替えた操作部の正面図であり、（ｂ）は第二の姿勢に切り替えた操作部の平面図である。
【図８】図８において、（ａ）は電力量計の正面図であり、（ｂ）は電力量計の底面図である。
【図９】図９は、同実施形態に係る電力量計用のバイパス工具の使用状態の説明図であり、バイパス回路を端子台に接続する前の状態の説明図である。
【図１０】図１０は、同実施形態に係る電力量計用のバイパス工具の使用状態の説明図であり、バイパス回路を端子台に接続した後の状態の説明図である。
【図１１】図１１は、本発明の他の実施形態に係る電力量計用のバイパス工具の使用状態の説明図であり、バイパス回路を端子台に接続する前の状態の説明図である。
【図１２】図１２は、本発明の他の実施形態に係る電力量計用のバイパス工具の使用状態の説明図であり、バイパス回路を端子台に接続した後の状態の説明図である。
【発明を実施するための形態】
【００１９】
以下、本発明の一実施形態に係る電力量計用のバイパス工具（以下、バイパス工具と称する）について添付図面を参照しつつ説明を行う。
【００２０】
電力量計は、図８（ａ）、及び図８（ｂ）に示すように、計量部５０と、端子台５１と、を備えており、該端子台５１は、横並びに配置された複数の接続端子５１０を備えている。
【００２１】
端子台５１は、電源側につながるケーブルと、負荷側につながるケーブルと、が接続されるように構成されており、電源側のケーブルと負荷側のケーブルとは計量部５０を通じて電気的に接続されるようになっている。なお、端子台５１は、底面の差込孔５１０ａを通じてケーブルを内部に差し込めるように構成されている（図８（ｂ）参照）。
【００２２】
本実施形態に係るバイパス工具は、上記構成の電力量計５に使用するものであり、端子台５１に対して、計量部５０を通さずに（迂回して）電源側のケーブルと負荷側のケーブルとを電気的に接続するバイパス回路を接続するように構成されている。
【００２３】
本実施形態に係るバイパス工具は、図１に示すように、バイパス回路が内装されるケース２と、該ケース２内に設けられるバイパス端子３であって、バイパス回路を電力量計５（本実施形態では、端子台５１）に接続するためのバイパス端子３（図２参照）と、該バイパス端子３に設けられる操作部４であって、バイパス端子３を、端子台５１に導通接続した接続状態とバイパス端子３を端子台５１から切り離した切離状態（非接続状態）とに切り替えるための操作部４と、を備えている。なお、本実施形態では、バイパス端子３と該バイパス端子３に設けられた操作部４とを一組にしたものを端子セットと称して以下の説明を行う場合がある。
【００２４】
また、本実施形態では、ケース２の前面と背面とが並ぶ方向を前後方向、ケース２の上下に対応する方向を上下方向、前後方向と上下方向とに直交する方向（すなわち、ケース２の横幅方向に対応する方向）を横方向、と称して以下の説明を行うこととする。
【００２５】
本実施形態に係るバイパス工具１には、１つのバイパス回路が設けられている。このバイパス回路には２つのバイパス端子３が接続されており、該２つのバイパス端子３のそれぞれには、別々の操作部４が設けられている（図１、図２参照）。
【００２６】
また、２つのバイパス端子３は、前記横方向で間隔をあけて並ぶように配置されている（図２参照）。
【００２７】
ケース２は、図５に示すように、端子台５１の前面にあてがわれる背面２００、及び該背面２００とは反対側の前面２０１とを有するケース本体２０と、バイパス端子３をケース本体２０に対して前後方向でスライドさせるためのスライド構造２１と、バイパス端子３を前記前後方向における後方側に付勢するための付勢部材２２と、バイパス端子３を前記前後方向で位置決め可能な端子用位置決部２３と、ケース本体２０を端子台５１に固定するための固定構造２４（図１参照）と、を備えている。
【００２８】
ケース本体２０は、箱状に形成されており、内部にはバイパス端子３が配置されている。なお、ケース本体２０内には、バイパス回路を構成するための基板や電子部品も配置されている。ケース本体２０の前面２０１には、図１に示すように、同じバイパス回路に含まれるバイパス端子３のそれぞれをつなぐバイパス電路を示す線状の電路ラインＬと、電路ラインＬ上に形成された識別表示部Ｉであって、バイパス電路の種別を示す識別表示部Ｉとが形成されている。
【００２９】
電路ラインＬは、長手方向における端部Ｌ１が端子セットの周囲に位置している。そのため、電路ラインＬは、正面視においては、端子セット同士のつながりを示すように形成されている。なお、電路ラインＬは、実際のバイパス電路の形状と同じ形状である必要はなく、同じバイパス回路に含まれているバイパス端子３同士のつながりを示すように構成されていればよい。
【００３０】
図５に示すように、スライド構造２１は、操作部４を前記前後方向でスライド可能となるように挿通する操作部用挿通部２１０であって、ケース本体２０の前面２０１で開口する筒状の操作部用挿通部２１０と、バイパス端子３を前記前後方向でスライド可能となるように挿通する端子用挿通部２１１であって、ケース本体２０の背面２００に設けられる端子用挿通部２１１とを有する。
【００３１】
操作部用挿通部２１０は、ケース本体２０の前面２０１の内側（ケース本体２０内に位置する一面側）から前記前後方向における後方側に向かって延出している。
【００３２】
また、操作部用挿通部２１０では、先端側の内径が基端側の内径よりも大きくなっている。そのため、操作部用挿通部２１０の先端側の内周面と基端側の内周面との境目には、操作部用挿通部２１０の基端側の内周面に対応する位置から径方向外方（操作部用挿通部２１０の径方向外方）に広がる内平面２１２が形成されている。
【００３３】
なお、本実施形態では、２つの操作部用挿通部２１０が前記横方向で間隔をあけて並んでいる。
【００３４】
端子用挿通部２１１は、筒状であり、且つケース本体２０の背面２００の外側（ケース本体２０外に位置する一面側）から前記前後方向における後方側に向かって延出している。また、端子用挿通部２１１は、基端側の開口がケース本体２０の内部に向けて開放している。
【００３５】
本実施形態では、上述のように、２つのバイパス端子３がケース２の横方向で間隔をあけて並ぶように配置されるため、ケース本体２０の背面２００には、各バイパス端子３の配置位置に合わせて２つの端子用挿通部２１１が前記横方向で間隔をあけて並んでいる。
【００３６】
なお、端子用挿通部２１１は、操作部用挿通部２１０に対しては、上方側にずれた位置に設けられている。
【００３７】
付勢部材２２は、圧縮コイルバネである。また、付勢部材２２は、端子用挿通部２１１の先端側に挿入されており、伸縮方向における一端が内平面２１２に当接するように配置されている。なお、付勢部材２２は、バイパス端子３が、後述する進出位置に配置した状態で、伸縮方向における全長が自然長未満となるように構成されることが好ましい。このようにすれば、バイパス端子３に対して前後方向における後方側に働く付勢力を常にかけておくことができる。なお、付勢部材２２は、板ばね等で構成されていてもよい。
【００３８】
端子用位置決部２３は、図６（ｂ）、図７（ｂ）に示すように、バイパス端子３を前記前後方向における後方側にスライドさせた進出位置に位置決めする進出用位置決部２３０と、バイパス端子３を前記前後方向における前方側にスライドさせた後退位置に位置決めする後退用位置決部２３１と、を有する。
【００３９】
なお、進出位置とは、端子台５１の前面にケース２（ケース本体２０の背面２００）をあてがっている状態でバイパス端子３が端子台５１の接続端子５１０に接触（導通）する位置のことである。また、後退位置とは、端子台５１の前面にケース２（ケース本体２０の背面２００）をあてがっている状態でバイパス端子３が端子台５１の接続端子５１０に対して非接触となる位置のことである。
【００４０】
進出用位置決部２３０は、図６（ｂ）に示すように、前記前後方向における後方側で操作部４を受ける進出用受部２３０ａと、該進出用受部２３０ａ上に操作部４を留めるための進出用ずれ止部２３０ｂと、を有する。
【００４１】
後退用位置決部２３１は、図７（ｂ）に示すように、前記前後方向における前方側で操作部４を受ける後退用受部２３１ａと、後退用受部２３１ａ上に操作部４を留めるための後退用ずれ止部２３１ｂと、を有する。
【００４２】
ここで、本実施形態に係る端子用位置決部２３（進出用位置決部２３０、後退用位置決部２３１）は、操作部４を介してバイパス端子３を位置決めするように構成されている。
【００４３】
より具体的に説明すると、端子用位置決部２３は、ケース本体２０の前面２０１から前方に向かって延出する筒状部２３２によって構成されている。
【００４４】
筒状部２３２には、先端面から前記前後方向における基端側に向かって凹む凹部２３２ａが形成されている。また、筒状部２３２には、周方向（自身の周方向）で間隔をあけて複数（本実施形態では２つ）の凹部２３２ａが形成されている。
【００４５】
進出用受部２３０ａでは、図６（ｂ）に示すように、凹部２３２ａの底面２３２ｂにより進出用受部２３０ａが構成され、凹部２３２ａの側面２３２ｃにより進出用ずれ止部２３０ｂが構成されている。
【００４６】
そして、後退用受部２３１ａでは、図７（ｂ）に示すように、筒状部２３２の先端面２３２ｄ（筒状部２３２の周方向で隣り合う凹部２３２ａと凹部２３２ａの間の先端面２３２ｄ）により後退用受部２３１ａが構成されており、該先端面２３２ｄの両側端部から手前側（前記前後方向における前方側）に膨出する膨出部２３２ｅにより後退用ずれ止部２３１ｂが構成されている。
【００４７】
固定構造２４は、図３に示すように、前記前後方向に沿ってケース本体２０の前面２０１から背面２００まで連続する挿通領域を形成する前側挿通部２４０と、該固定用挿通部に対して前記前後方向における後方側で並ぶ位置に設けられる固定用挿通部２４１と、固定用挿通部２４１に対して前記前後方向における前方側から挿通される固定ねじ２４２と、固定用挿通部２４１内の固定ねじ２４２をケース本体２０の前面２０１側に付勢する押戻手段２４３と、を備えている。
【００４８】
前側挿通部２４０の挿通領域は、ケース本体２０の前面２０１、及びケース本体２０の背面２００で開放するように形成されている。
【００４９】
固定用挿通部２４１は、筒状であり且つケース本体２０の背面２００から前記前後方向における後方側に向かって延出している。また、固定用挿通部２４１は、横方向において端子用挿通部２１１よりも内側に設けられている。
【００５０】
固定ねじ２４２は、固定用挿通部２４１に対して前記前後方向でスライド可能となるように挿通されている。また、固定ねじ２４２は、固定用挿通部２４１内でのスライドにより、雄ねじ部の先端部を固定用挿通部２４１から前記前後方向における後方側に露出（進出）させた露出状態と、雄ねじ部の先端部全体を固定用挿通部２４１内に収容した収容状態（すなわち、雄ねじ部の先端が固定用挿通部２４１の先端よりも前後方向のける前方側に位置する状態）とに切替可能である。
【００５１】
固定ねじ２４２が露出状態に切り替えられると、雄ねじ部を電力量計５（端子台５１）におけるバイパス工具１の取付箇所（例えば、接続端子５１０に形成されているねじ孔）に螺合させることができる状態になる。一方、固定ねじ２４２が収容状態に切り替えられると、雄ねじ部を前記取付箇所に螺合させることができない状態になる。
【００５２】
押戻手段２４３は、圧縮コイルバネで構成されており、前記前後方向で伸縮するようにして前側挿通部２４０内に配置されており、前側挿通部２４０内で前記前後方向における後方側にスライドさせた固定ねじ２４２を手前側に押し返すように構成されている。
【００５３】
バイパス端子３は、図５に示すように、軸状の端子本体部３０と、端子本体部３０と操作部４とを連結する連結構造３１と、端子本体部３０をバイパス回路の電路に接続するための導通接続部３２と、を備えている。
【００５４】
端子本体部３０は、軸心方向を前記前後方向に一致又は略一致させた状態で配置されており、端子用挿通部２１１に挿通されている。
【００５５】
また、端子本体部３０は、バイパス端子３を進出位置又は後退位置への配置変更に伴い、端子用挿通部２１１内で前記前後方向にスライドするように構成されている。そして、端子台５１の前面にケース２をあてがった状態でバイパス端子３が進出位置に配置されると、端子本体部３０の先端部は、端子用挿通部２１１から外部に進出して（すなわち、端子用挿通部２１１よりも前記前後方向における後方側に進出して）接続端子５１０に接触する。一方、端子台５１の前面にケース２をあてがった状態でバイパス端子３が後退位置に配置されると、端子本体部３０の先端部は、端子用挿通部２１１内に退避して接続端子５１０から離れる。このようにして、バイパス端子３が接続端子５１０に導通接続された状態と、バイパス端子３が接続端子５１０から切り離された状態とが切り替わるようになっている。
【００５６】
連結構造３１は、端子本体部３０が取り付けられる連結板部３１０と、該連結板部３１０と操作部４とを連結する連結軸部３１１と、を有する。
【００５７】
連結板部３１０には、端子本体部３０の軸心方向における一端（以下、基端と称する）が取り付けられている。また、連結板部３１０は、細長い形状（本実施形態では、長方形状）であり（図４参照）、長手方向における一端部にバイパス端子３が取り付けられ、長手方向における中央部に連結軸部３１１が取り付けられている。
【００５８】
連結軸部３１１は、軸心方向が前記前後方向に一致又は略一致する姿勢で、操作部用挿通部２１０の先端側から該操作部用挿通部２１０内に挿通されている。
【００５９】
また、本実施形態では、連結軸部３１１が操作部用挿通部２１０内の付勢部材２２の内側にも挿通された状態になっており、連結板部３１０が付勢部材２２の伸縮方向における他端（以下、先端と称する）を受けるように構成されている。
【００６０】
さらに、連結軸部３１１の軸心は、端子本体部３０の軸心から離れた場所（端子本体部３０の径方向で離れた場所）に位置している。そのため、端子本体部３０は、連結軸部３１１の軸心を中心とする周方向で回転可能であり、端子用挿通部２１１との間のスペースにより許容される範囲内で、横方向に動くことができるように構成されている。
【００６１】
導通接続部３２は、連結構造３１の一部に対して一体に形成されている。本実施形態では、連結板部３１０の長手方向における他端部により導通接続部３２が構成されている。そして、本実施形態では、各バイパス端子３の導通接続部３２同士が電気的に接続されることで、一つのバイパス回路が構成されている。
【００６２】
操作部４は、ケース本体２０の前面２０１よりも手前側に配置される操作部本体４０と、該操作部本体４０から延出し且つ操作部４用ガイド部に対して前記前後方向でスライド可能となるように挿入される被ガイド部４１と、を有する。なお、操作部本体４０は、バイパス端子３の配置位置を変更する際に使用者が把持するための把手部でもある。
【００６３】
操作部本体４０は、細長い形状（本実施形態では長方形状）であり、長手方向における寸法が端子用位置決部２３（筒状部２３２）の外径よりも大きくなっている。本実施形態に係る操作部本体４０では、図６（ａ）、及び図７（ａ）に示すように、長手方向における両側が、端子用位置決部２３に対して前記前後方向における前方側から掛止する掛止部４００となっており、該掛止部４００の前面には端子本体部３０と接続端子５１０との接続状態を示すための表示部４００ａが設けられている。
【００６４】
被ガイド部４１は、この操作部本体４０の長手方向における中央部側から延出している。そのため、各掛止部４００と各表示部４００ａとは、被ガイド部４１を中心とする周方向に沿って回動可能となっている。
【００６５】
本実施形態に係る操作部４では、操作部本体４０が前記第一の姿勢に切り替わると、両端部に設けられている各掛止部４００目部及び各表示部４００ａが横方向で並び、操作部本体４０が前記第二の姿勢に切り替わると、両端部に設けられている各掛止部４００目部及び各表示部４００ａが上下方向（縦方向）で並ぶ。
【００６６】
そのため、操作部本体４０は、各表示部４００ａを横方向に並べることによって、バイパス端子３が進出位置に配置されている状態（すなわち、電力量計５に導通接続された接続状態）に切り替えられていることを示し、各表示部４００ａを上下方向に並べることによって、バイパス端子３が後退位置に配置されている状態（すなわち、電力量計５から切り離されている切離状態）に切り替えられていることを示すように構成されている。
【００６７】
また、図１に示すように、電路ラインＬの端部Ｌ１が、操作本体部４０の中心から前記横幅方向にずれた位置に形成されているため、操作本体部４０が第一の姿勢に切り替わると、該操作本体部４０の長手方向における一方の端部（すなわち、一方の掛止部４００と該掛止部４００に設けられた表示部４００ａ）が、正面視において電路ラインＬの端部Ｌ１に対して横幅方向で隣接する領域に配置され、操作本体部４０が第二の姿勢に切り替わると、前記一方の端部が、正面視において前記電路ラインＬの端部Ｌ１に対して横幅方向で隣接する領域から外れた場所に配置されるようになっている。
【００６８】
なお、表示部４００ａは、例えば、掛止部４００の前面に着色したり、ラベルを貼り付けたりすることによって構成されていればよい。
【００６９】
本実施形態に係るバイパス工具１の構成は以上の通りである。続いて、本実施形態に係るバイパス工具１の使い方を説明する。
【００７０】
バイパス工具１を用いてバイパス回路を端子台５１に接続するにあたり、操作部本体４０を第二の姿勢に切り替えておき（図９参照）、各バイパス端子３を後退位置に配置しておく。このとき、端子本体部３０の先端は、端子用挿通部２１１内に配置されている。また、操作部本体４０の掛止部４００は、後退用受部２３１ａに掛止されている。
【００７１】
この状態において、掛止部４００は、被ガイド部４１を中心とする周方向に沿って回動しようとすると後退用ずれ止部２３１ｂが干渉するため、後退用ずれ止部２３１ｂによって後退用受部２３１ａ上に留められている。
【００７２】
バイパス工具１を端子台５１に取り付けるには、まず、ケース２（ケース本体２０の背面２００）を端子台５１の前面にあてがう。ケース本体２０の背面２００を端子台５１の前面にあてがった状態においては、各端子本体部３０が別々の接続端子５１０の前方に配置され、固定ねじ２４２が前記固定箇所（本実施形態では、接続端子５１０に形成されているねじ孔）の前方に配置される。そして、固定ねじ２４２を前記固定箇所、すなわち、接続端子５１０のねじ孔に螺合させる。
【００７３】
そして、操作部本体４０を第一の姿勢に切り替え（図１０参照）、各バイパス端子３を後退位置から進出位置に移動させることで、バイパス回路が端子台５１に接続される。
【００７４】
より具体的に説明すると、操作部本体４０を後退用ずれ止部２３１ｂよりも手前側に引き出した後、該操作部本体４０を回転させて第二の姿勢から第一の姿勢に切り替えて、各掛止部４００を進出用受部２３０ａに掛止する。このようにすると、掛止部４００は、進出用受部２３０ａに掛止されている状態で被ガイド部４１を中心とする周方向に沿って回動しようとしたときに、進出用ずれ止部２３０ｂが干渉する。そのため、掛止部４００は、被ガイド部４１を中心とする周方向での回動が規制された状態になる。
【００７５】
操作部本体４０が第一の姿勢に切り替わると、一方の表示部４００ａは、正面視において、電路ラインＬの端部Ｌ１に対して前記横方向内側で隣接する領域内に配置される。すなわち、正面視において、一方の表示部４００ａと、電路ラインＬの端部Ｌ１とが横並びになる。
【００７６】
また、掛止部４００を後退用受部２３１ａから進出用受部２３０ａに掛け替えるに伴い、端子本体部３０が前記前後方向における後方側にスライドする。そのため、端子本体部３０の先端部が端子用挿通部２１１から外側に進出し、該端子本体部３０の先端部（先端面）が接続用端子の前面に当接する。
【００７７】
端子本体部３０は、このようにして接続用端子に導通接続される。そして、各バイパス端子３の端子本体部３０を接続用端子に導通接続することにより、バイパス回路を端子台５１に接続することができ、この状態においては、上述のように、電路ラインＬの各端部Ｌ１と、同じバイパス回路に含まれるバイパス端子３の全ての表示部４００ａとが横方向で横並びになる。
【００７８】
端子台５１からバイパス回路を切り離す場合は、各バイパス端子３を進出位置から後退位置に移動させる。
【００７９】
より具体的に説明すると、操作部本体４０を進出用ずれ止部２３０ｂ及び後退用ずれ止部２３１ｂよりも手前側に引き出した後、該操作部本体４０を回転させて第一の姿勢から第二の姿勢に切り替え、各掛止部４００を後退用受部２３１ａに掛止する。
【００８０】
操作部本体４０が第二の姿勢に切り替わると、一方の表示部４００ａ（及び他方の表示部４００ａ）は、正面視において、電路ラインＬの端部Ｌ１に対して前記横方向内側で隣接する領域から外れた位置に配置される。
【００８１】
また、掛止部４００を進出用受部２３０ａから後退用受部２３１ａに掛け替えるに伴い、端子本体部３０が前記前後方向における前方側（手前側）にスライドする。そのため、端子本体部３０の先端部が端子用挿通部２１１内に移動し、該端子本体部３０の先端部（先端面）が接続用端子の前面から離れる。
【００８２】
接続端子５１０に導通接続されている端子本体部３０は、このようにして接続用端子から切り離される。そして、各バイパス端子３の端子本体部３０を接続用端子から切り離すことで、バイパス回路を端子台５１から切り離すことができ、この状態においては、同じバイパス回路に含まれるバイパス端子３の全ての表示部４００ａは、電路ラインＬの各端部Ｌ１に対して上下方向でずれた位置に配置される。
【００８３】
以上のように、本実施形態に係るバイパス工具１によれば、バイパス端子３と電力量計５との接続状態に応じて長短のついた細長い操作部本体４０の姿勢（長手方向の向き）が切り替わるため、操作部本体４０を見ただけで、バイパス端子３が電力量計５に接続されている状態か、バイパス端子３が電力量計５から切り離されている状態かを見分けることができる。
【００８４】
従って、本実施形態に係るバイパス工具１は、電力量計５へのバイパス回路の接続状態を容易に把握することができる、という優れた効果を奏し得る。
【００８５】
また、本実施形態では、２つの端子セットの操作部本体４０のそれぞれが横方向に並び、且つ第一の姿勢で自身の長手方向が横方向に一致し、第二の姿勢で自身の長手方向が縦方向に一致するように構成されていているため、各端子セットのバイパス端子３を全て接続状態に切り替えると、各端子セットの操作部本体４０の全てが長手方向を横方向に一致させた状態になり、各操作部本体４０が横幅方向で隣り合う操作部本体４０に向かって延びているように見える。
【００８６】
従って、横方向で隣り合う端子セット同士が電気的につながっていることを使用者に連想させることによって、バイパス回路が電力量計５に接続されていることを把握し易くすることができる。
【００８７】
さらに、操作部本体４０は、第一の姿勢に切り替えられた状態においては長手方向における両端部が正面視において電路ラインＬの端部Ｌ１に隣接する位置に配置され、第二の姿勢に切り替えられた状態においては該両端部が正面視において電路ラインＬの端部Ｌ１に対して隣接する位置から外れた位置に配置されるため、バイパス端子３が接続状態である場合は、正面視において電路ラインＬと操作部本体４０の端部とがつながっているように見え、バイパス端子３が非接続状態である場合は、正面視において電路ラインＬと操作部本体４０の端部とが切り離されているように見える。これにより、各バイパス端子３の接続状態が視覚的に把握し易くなるため、バイパス回路と電力量計５の接続状態も把握し易くなる。
【００８８】
また、操作部本体４０の長手方向における両端部の前面（掛止部４００の前面）には表示部４００ａが設けられているため、該両端部がバイパス端子３と接続端子５１０との接続状態を示しているものであることが分かり易くなっている。また、表示部４００ａ、及び電路ラインＬのそれぞれは、ケース２の正面側から見やすい位置に形成されているため、使用者の目にとまりやすくなっている。
【００８９】
さらに、本実施形態に係るバイパス工具１では、第一の姿勢に切り替えらえられた操作部本体４０の回転動作を進出用ずれ止部２３０ｂによって規制し、第二の姿勢に切り替えらえられた操作部本体４０の回転動作を後退用ずれ止部２３１ｂによって規制できるため、端子本体部３０と接続端子５１０との接続状態が維持された状態のままで操作部本体４０が回転してしまい、実際の端子本体部３０と接続端子５１０との接続状態と、操作部本体４０が示す接続状態とにずれが生じることを防止できる。
【００９０】
なお、本発明のバイパス工具は、上記実施形態に限定されるものではなく、本発明の要旨を逸脱しない範囲内において種々の変更を加え得ることは勿論である。
【００９１】
上記実施形態において、操作部本体４０は、第一の姿勢に切り替わると各表示部４００ａが横方向で並び、第二の姿勢に切り替わると各表示部４００ａが上下方向で並ぶように構成されていたが、この構成に限定されない。例えば、操作部本体４０は、第一の姿勢に切り替わると各表示部４００ａが上下方向で並び、第二の姿勢に切り替わると各表示部４００ａが横方向で並ぶように構成されていてもよい。すなわち、各表示部４００ａを上下方向で並べることで、バイパス端子３が接続状態であることを示し、各表示部４００ａを横方向に並べることでバイパス端子３が切離状態であることを示すように構成されていてもよい。
【００９２】
上記実施形態において、特に言及しなかったが、電路ラインＬの端部Ｌ１は、正面視において操作部本体４０の可動領域と重なる領域内に形成されていてもよいし、該可動領域に隣接する領域に形成されていてもよい。
【００９３】
上記実施形態のバイパス工具１は、一つのバイパス回路を有するように構成されていたが、この構成に限定されない。例えば、バイパス工具１は、図１１、及び図１２に示すように、複数のバイパス回路を有するように構成されていてもよい。
【００９４】
図１１、及び図１２に示すバイパス工具１は、２つのバイパス回路を有するように構成されており、ケース２の前面２０１には、一方のバイパス回路を示す電路ラインＬＡと、他方のバイパス回路を示す電路ラインＬＢと、が形成されている。なお、図１１、及び図１２に示すバイパス工具１では、一方のバイパス回路に２つの端子本体部３０が接続されているが、該２つの端子本体部３０は１つの操作部４で操作するように構成されている。
【００９５】
この場合においても、一方のバイパス回路に含まれる接続端子５１０部を操作するための操作部本体４０を第二の姿勢に切り替えている状態においては、一方のバイパス回路を示す電路ラインＬの端部ＬＡ１に対して表示部４００ａ（該バイパス回路に含まれる接続端子５１０本体部を操作する操作部４に形成されている表示部４００ａ）が横方向で横並びになるように配置され、該操作部本体４０を第一の姿勢に切り替えている状態においては、一方のバイパス回路を示す電路ラインＬＡの端部ＬＡ１に対して表示部４００ａ（該バイパス回路に含まれる接続端子５１０本体部を操作する操作部４に形成されている表示部４００ａ）が上下方向でずれた位置に配置される。
【００９６】
また、他方のバイパス回路に含まれる接続端子５１０部を操作するための操作部本体４０を第一の姿勢に切り替えている状態においては、他方のバイパス回路を示す電路ラインＬＢの端部ＬＢ１に対して表示部４００ａ（該バイパス回路に含まれる接続端子５１０本体部を操作する操作部４に形成されている表示部４００ａ）が横方向で横並びになるように配置され、該操作部本体４０を第一の姿勢に切り替えている状態においては、他方のバイパス回路を示す電路ラインＬＢの端部ＬＢ１に対して表示部４００ａ（該バイパス回路に含まれる接続端子５１０本体部を操作する操作部４に形成されている表示部４００ａ）が上下方向でずれた位置に配置される。
【００９７】
なお、一方のバイパス回路を示す電路ラインＬＡと、他一方のバイパス回路を示す電路ラインＬＢとには、それぞれのバイパス回路の種別に合わせて、別々の識別表示部ＩＡ、ＩＢを付してもよい。
【符号の説明】
【００９８】
１…バイパス工具、２…ケース、３…バイパス端子、４…操作部、５…電力量計、２０…ケース本体、２１…スライド構造、２２…付勢部材、２３…端子用位置決部、２４…固定構造、３０…端子本体部、３１…連結構造、３２…導通接続部、４０…操作部本体、４１…被ガイド部、５０…計量部、５１…端子台、２００…背面、２０１…前面、２１０…操作部用挿通部、２１１…端子用挿通部、２１２…内平面、２３０…進出用位置決部、２３０ａ…進出用受部、２３０ｂ…進出用ずれ止部、２３１…後退用位置決部、２３１ａ…後退用受部、２３１ｂ…後退用ずれ止部、２３２…筒状部、２３２ａ…凹部、２３２ｂ…底面、２３２ｃ…側面、２３２ｄ…先端面、２３２ｅ…膨出部、２４０…前側挿通部、２４１…固定用挿通部、２４２…固定ねじ、２４３…押戻手段、３１０…連結板部、３１１…連結軸部、４００…掛止部、４００ａ…表示部、５１０…接続端子、５１０ａ…差込孔、Ｉ，ＩＡ，ＩＢ…識別表示部、Ｌ，ＬＡ，ＬＢ…電路ライン、Ｌ１，ＬＡ１，ＬＢ１…電路ラインの端部
【図１】
2019211275.tif 000003
【図２】
2019211275.tif 000004
【図３】
2019211275.tif 000005
【図４】
2019211275.tif 000006
【図５】
2019211275.tif 000007
【図６】
2019211275.tif 000008
【図７】
2019211275.tif 000009
【図８】
2019211275.tif 000010
【図９】
2019211275.tif 000011
【図１０】
2019211275.tif 000012
【図１１】
2019211275.tif 000013
【図１２】
2019211275.tif 000014
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
一対の接続端子を有し且つそれぞれ種別が異なる複数の回路を備える電力量計の該回路にバイパス回路を接続するためのバイパス工具であって、
それぞれが別々の種別の前記回路に対応して設けられる複数の前記バイパス回路を備え、
該複数のバイパス回路のそれぞれには、
前記バイパス回路と前記電力量計とを導通接続するためのバイパス端子であって、接続端子に導通接続されるバイパス端子と、
該バイパス端子の状態を、前記接続端子に導通接続した接続状態と、前記接続端子に導通接続していない非接続状態とに切り替えるための把手部と、が設けられ、
前記把手部は、細長い形状であり、且つ前記バイパス端子が前記接続状態に切り替えられている状態で該把手部の長手方向が縦方向又は横方向の何れか一方の方向に一致する第一の姿勢となり、前記バイパス端子が前記非接続状態に切り替えられている状態で該把手部の長手方向が縦方向又は横方向の何れか他方の方向に一致する第二の姿勢となるように構成される、
電力量計用のバイパス工具。
【請求項２】
前記複数のバイパス回路には、
該バイパス回路自身の別々の端部に設けられる一対の前記バイパス端子と、該一対のバイパス端子のそれぞれに対して個々に設けられる一対の前記把手部とが設けられ、且つ一つの前記バイパス端子と該バイパス端子に取り付けられた一つの前記把手部とを一組にした端子セットが２組み設けられたバイパス回路が含まれ、
前記端子セットを２組み備えるバイパス回路では、
各前記端子セットの前記把手部のそれぞれが、前記バイパス工具の横幅方向に並べて配置され、且つ前記第一の姿勢で自身の長手方向が横方向に一致し、前記第二の姿勢で自身の長手方向が縦方向に一致するように構成される、
請求項１に記載の電力量計用のバイパス工具。
【請求項３】
前記電力量計の前面にあてがうケースであって、前記バイパス端子及び前記把手部が設けられるケースを備え、
該ケースの前面には、同一の前記バイパス回路に含まれる前記一対のバイパス端子のそれぞれをつなぐバイパス電路を示す電路ラインが形成され、
該バイパス回路の前記把手部は、長手方向における端部が、前記第一の姿勢の状態では正面視において前記電路ラインの端部に隣接する位置に配置され、且つ前記第二の姿勢の状態では正面視において前記電路ラインの端部に対して隣接する位置から外れた位置に配置される、
請求項１又は２に記載の電力量計用のバイパス工具。
【手続補正２】
【補正対象書類名】明細書
【補正対象項目名】００１０
【補正方法】変更
【補正の内容】
【００１０】
本発明の電力量計用のバイパス工具は、
一対の接続端子を有し且つそれぞれ種別が異なる複数の回路を備える電力量計の該回路にバイパス回路を接続するためのバイパス工具であって、
それぞれが別々の種別の前記回路に対応して設けられる複数の前記バイパス回路を備え、
該複数のバイパス回路のそれぞれには、
前記バイパス回路と前記電力量計とを導通接続するためのバイパス端子であって、接続端子に導通接続されるバイパス端子と、
該バイパス端子の状態を、前記接続端子に導通接続した接続状態と、前記接続端子に導通接続していない非接続状態とに切り替えるための把手部と、が設けられ、
前記把手部は、細長い形状であり、且つ前記バイパス端子が前記接続状態に切り替えられている状態で該把手部の長手方向が縦方向又は横方向の何れか一方の方向に一致する第一の姿勢となり、前記バイパス端子が前記非接続状態に切り替えられている状態で該把手部の長手方向が縦方向又は横方向の何れか他方の方向に一致する第二の姿勢となるように構成される。
【手続補正３】
【補正対象書類名】明細書
【補正対象項目名】００１２
【補正方法】変更
【補正の内容】
【００１２】
本発明の電力量計用のバイパス工具において、
前記複数のバイパス回路には、
該バイパス回路自身の別々の端部に設けられる一対の前記バイパス端子と、該一対のバイパス端子のそれぞれに対して個々に設けられる一対の前記把手部とが設けられ、且つ一つの前記バイパス端子と該バイパス端子に取り付けられた一つの前記把手部とを一組にした端子セットが２組み設けられたバイパス回路が含まれ、
前記端子セットを２組み備えるバイパス回路では、
各前記端子セットの前記把手部のそれぞれが、前記バイパス工具の横幅方向に並べて配置され、且つ前記第一の姿勢で自身の長手方向が横方向に一致し、前記第二の姿勢で自身の長手方向が縦方向に一致するように構成されていてもよい。
【手続補正４】
【補正対象書類名】明細書
【補正対象項目名】００１５
【補正方法】変更
【補正の内容】
【００１５】
さらに、本発明の電力量計用のバイパス工具は、
前記電力量計の前面にあてがうケースであって、前記バイパス端子及び前記把手部が設けられるケースを備え、
該ケースの前面には、同一の前記バイパス回路に含まれる前記一対のバイパス端子のそれぞれをつなぐバイパス電路を示す電路ラインが形成され、
該バイパス回路の前記把手部は、長手方向における端部が、前記第一の姿勢の状態では正面視において前記電路ラインの端部に隣接する位置に配置され、且つ前記第二の姿勢の状態では正面視において前記電路ラインの端部に対して隣接する位置から外れた位置に配置される、ようにしてもよい。